(57)【要約】      （修正有）【課題】飲酒測定器により飲酒測定を行い飲酒であると判断した場合でも、故意に自動車、オートバイに乗車し運転する事は容易である。また当該自動車、オートバイが飲酒運転をおこなっていることの可否を車外の第三者は知りえない為、警報、警告灯にて飲酒の状態を第三者に知らせることで、飲酒運転の心理的な抑止を行う装置。【解決手段】飲酒運転抑止警報装置を設置した自動車、オートバイが運転行うためエンジンを始動した時、飲酒測定を行うよう設定してあり、測定実施の有無、及び測定結果の有無を警報、警告灯にて運転者に知らせる。また同時に自動車、オートバイの車外に予め設置した警報、警告灯にもその状態を発し、第三者にもその旨を知らせることで心理的な飲酒運転の抑止を働かせることのできる装置。【選択図】図１
0003140349.tif 000002
【実用新案登録請求の範囲】
【請求項１】
本考案は、飲酒運転抑止警報装置を設置した自動車、オートバイが運転を開始するためエンジンを始動した時に飲酒測定を行うよう設定してあり、測定実施の有無、及び測定結果の有無を警報、警告灯にて運転者に知らせる。また同時に自動車、オートバイの車外に予め設置した警報、警告灯にもその状態を発し、第三者にもその旨を知らせることで心理的な飲酒運転の抑止を働かせることのできる装置。
【請求項２】
また警報、警告灯の識別は、エンジンを始動した時点で、飲酒測定を行わない場合は測定が行われていない事の注意を促し、注意を表す色を点灯する。測定が行われ飲酒を行っていないと結果が出た場合は、検査結果は飲酒状態ではない正常状態である事を促し、正常を表す色を点灯する。飲酒を行っているとの結果が出た場合は、飲酒状態である事を促し、飲酒を表す色を点灯する。その状態は、エンジンの始動からエンジンを停止するま継続し警報、警告灯を発し続け、エンジンを切った場合は、初期状態に戻ることのできる装置。
【考案の詳細な説明】
【技術分野】
【０００１】  本考案は、自動車、オートバイがエンジンを始動した時に飲酒測定を行うよう設定し、飲酒の測定実施の有無及び飲酒測定結果の有無を警報、警告灯にて運転者に知らせる。また同時に車外に設置した警報、警告灯にもその状態を発し、第三者にも知らせることで心理的な飲酒運転の抑止を働かせることのできる装置に関する。
【背景技術】
【０００２】  従来の飲酒測定器は、飲酒の測定結果の有無を現すのみの単体装置である。測定後に自動車、オートバイの運転行為とは連動しいない為、測定した運転者の是非の判断に委ねられる。
【考案の開示】
【考案が解決しようとする課題】
【０００３】  上記の如く、飲酒測定器により飲酒測定を行い飲酒であると判断した場合でも、故意に自動車、オートバイに乗車し運転する事は容易である。また当該自動車、オートバイが飲酒運転をおこなっていることの可否を車外の第三者が見分けるのは難しい。
【課題を解決するための手段】
【０００４】  本考案は、飲酒運転抑止警報装置を設置した自動車、オートバイが運転を開始するためエンジンを始動した時に飲酒測定を行うよう設定してあり、測定実施の有無、及び測定結果の有無を警報、警告灯にて運転者に知らせる。また同時に自動車、オートバイの車外に予め設置した警報、警告灯にもその状態を発し、第三者にもその旨を知らせることで心理的な飲酒運転の抑止を働かせることのできる装置。【０００５】  また警報、警告灯の識別は、エンジンを始動した時点で、飲酒測定を行わない場合は測定が行われていない事の注意を促し、注意を表す色を点灯する。測定が行われ飲酒を行っていないと結果が出た場合は、検査結果は飲酒状態ではない正常状態である事を促し、正常を表す色を点灯する。飲酒を行っているとの結果が出た場合は、飲酒状態である事を促し、飲酒を表す色を点灯する。その状態は、エンジンの始動からエンジンを停止するま継続し警報、警告灯を発し続け、エンジンを切った場合は、初期状態に戻ることのできる装置。
【考案の効果】
【０００６】  本考案は、飲酒をしている人が自動車、オートバイに乗り、運転しようとした場合、その運転者に対して、飲酒である事の警報、警告を発し、自発的に運転をやめさせる効果がある。しかし、故意に運転を行った場合は、その状態を第三者に知らしめることで運転者に対して抑止が働く事と、第三者がその自動車、オートバイが飲酒運転であることに危険を感じ回避できる利点がある。
【考案を実施するための最良の形態】
【０００７】  以下、本考案を図面に基づき詳細に説明する【０００８】  図１に示すように、飲酒測定装置１１及び飲酒運転抑止警報装置１２は図２で示すような流れを経て、図１のエンジン始動と電力供給源１４より電力の供給を受けその状態を制御し二色発光警告、警報装置１３を稼動させる。【０００９】の稼動までの流れを表す。図２のエンジンの始動と電力供給源１４でエンジンの始動を行った場合は初めに、飲酒運転抑止警報装置１２の初期化を行い二色発光警告、警報装置１３の稼動を行う。次に飲酒測定装置１１で測定を行わなかった場合（測定未実施）は図２で示すとおり測定を行うまで繰り返す。その場合の飲酒運転抑止警報装置１２は初期状態のままであるため、二色発光警告、警報装置１３も同様に初期状態のままである。飲酒測定装置１１で飲酒測定の実施を行い（測定実施）、飲酒を行っている状態の場合は、二色発光警告、警報装置１３で飲酒状態であることを表し、飲酒を行っていない状態の場合は、二色発光警告、警報装置１３で正常状態を表す。その両方はエンジン停止まで継続する。
【図面の簡単な説明】
【００１０】
【図１】飲酒運転抑止警報装置と周辺装置の関係を表す
【図２】エンジン始動から警報、警告灯の稼動までの流れを表す
【符号の説明】
【００１１】１１  飲酒測定装置
１２  飲酒運転抑止警報装置
１３  二色発光警告、警報装置
１４  エンジンの始動と電力供給源
【図１】
0003140349.tif 000003
【図２】
0003140349.tif 000004
【手続補正書】
【提出日】平成19年10月3日(2007.10.3)
【手続補正１】
【補正対象書類名】実用新案登録請求の範囲
【補正対象項目名】全文
【補正方法】変更
【補正の内容】
【実用新案登録請求の範囲】
【請求項１】
本考案は、飲酒運転抑止警報装置を設置した自動車、オートバイが運転を開始するためエンジンを始動した時に飲酒測定装置で飲酒の濃度測定を行うよう設定してあり、測定実施の有無、及び測定結果の有無を飲酒運転抑止警報装置で制御し、二色発光警告、警報装置にて運転者に知らせ、同様に自動車、オートバイの車外に予め設置した二色発光警告、警報装置にもその状態を発し、第三者にその旨を知らせることで心理的な飲酒運転の抑止を働かせることを特徴とする飲酒運転抑止警報装置。
【請求項２】
請求項１の飲酒運転抑止警報装置の二色発光警告、警報装置の識別は、（１）飲酒の測定を行わない場合は測定が行われていない事の注意を促し、注意を表す色を点灯し、（２）測定が行われ飲酒を行っていないと測定が出た場合は、飲酒状態ではない正常状態である事を促し、正常を表す色を点灯し、（３）測定が行われ飲酒を行っているとの結果が出た場合は、飲酒状態である事を促し、飲酒を表す色を点灯し、その状態はエンジンの始動からエンジンを停止するま継続し、エンジンを切った場合は初期状態に戻ることを特徴とする飲酒運転抑止警報装置。
【手続補正書】
【提出日】平成19年12月5日(2007.12.5)
【手続補正１】
【補正対象書類名】実用新案登録請求の範囲
【補正対象項目名】全文
【補正方法】変更
【補正の内容】
【実用新案登録請求の範囲】
【請求項１】
本考案は、運転を開始するために飲酒運転抑止警報装置を設置した自動車、オートバイのエンジンを始動した時に運転者の飲酒の有無、測定実施の有無を飲酒運転抑止警報装置で制御し、その結果を二色発光警告、警報装置にて運転者に警告し、同時に自動車、オートバイの車外に予め設置してある二色発光警告、警報装置にも警告を発し、運転者と第三者にその旨を知らせることで運転者の心理的な飲酒運転の抑止を働かせることを特徴とする飲酒運転抑止警報装置。
【請求項２】
請求項１に記載の飲酒運転抑止警報装置において、二色発光警告、警報装置の識別は、（１）飲酒の測定を行わない場合は測定が行われていない事の注意を促し、注意を表す色を点灯し、（２）測定が行われ飲酒を行っていないと測定が出た場合は、飲酒状態ではない正常状態である事を促し、正常を表す色を点灯し、（３）測定が行われ飲酒を行っているとの結果が出た場合は、飲酒状態である事を促し、飲酒を表す色を点灯し、その状態はエンジンの始動からエンジンを停止するま継続し、エンジンを切った場合は初期状態に戻ることを特徴とする飲酒運転抑止警報装置。